(57)【要約】【課題】  筆記部へのインク流出量を確保するために、インク誘導芯を太くしても溝部でインク誘導芯を細く見せることができ、筆記時の視認性を向上させる効果を有する筆記具を提供する。【解決手段】  ペン先４０が筆記部となる多孔体４５と該多孔体４５を保持し、筆記部にインクを供給するためのインク誘導芯と、インク誘導芯を保持体の内部に備え、かつ、上記保持体５５が、筆記方向を視認できる視認部となる筆記具であって、前記保持体５５の外形面にインク誘導芯を細く見せるための溝部５７を少なくとも１箇所以上形成したことを特徴とする筆記具Ａ。【選択図】図１
2018118420.tif 000002
【特許請求の範囲】
【請求項１】
ペン先が筆記部となる多孔体と該多孔体を保持し、筆記部にインクを供給するためのインク誘導芯と、インク誘導芯を保持体の内部に備え、かつ、上記保持体が、筆記方向を視認できる視認部となる筆記具であって、前記保持体の外形面にインク誘導芯を細く見せるための溝部を少なくとも１箇所以上形成したことを特徴とする筆記具。
【請求項２】
保持体の溝部の幅を保持体にあるインク誘導芯の外径と同じ若しくは広いことを特徴とする請求項１記載の筆記具。
【請求項３】
保持体の溝部の深さを厚みの１／４以下に形成したことを特徴とする請求項１又は２に記載の筆記具。
【発明の詳細な説明】
【技術分野】
【０００１】
本発明は、筆記具本体内のインクをペン先の筆記部に供給するアンダーラインマーカー等と呼ばれるタイプの筆記具に関し、更に詳しくは、ペン先の視認部で筆記方向を視認することができる筆記具に関する。
【背景技術】
【０００２】
一般に、アンダーラインマーカー等と称される筆記具は、幅広の筆記部を備えることにより幅広の線引きを可能にしたものであって、マーキングの視認性や作業性に優れているため幅広く使用されている。
【０００３】
このタイプの筆記具において、ペン先の視認部で筆記方向を視認することができる筆記具としては、各構造の筆記具が知られている。
例えば、本出願人は、１）ペン先に、筆記方向を視認できる視認部（窓）を備えた筆記具において、視認部の面積比率を向上させた筆記具（例えば、特許文献１参照）、２）視認部の面積比率を向上させると共に、落下等による強い衝撃があってもインク切れやカスレも生じにくい筆記具（例えば、特許文献２参照）を開示している。
【０００４】
これらの筆記具は、ペン先の視認部から筆記した文字が見えるから、チェックしたいところだけ、ピタッとはみ出さずにラインが引けるものである。
上記各特許文献の中で、特許文献２は視認部の面積比率を向上させると共に、落下等による強い衝撃があってもインク切れやカスレも生じにくい優れた筆記具であるが、筆記部へのインク流出量を十分に確保しようとすると、インク誘導芯を太くする必要がある。
【０００５】
しかしながら、インク誘導芯を太くすると、視認部が小さくなり、視認部の視認性が低下する等の課題が生じる。また、特許文献２の段落〔００３１〕、図６には、保持体のインク誘導部の外形を滑らかな凸状又は凹状にして、視認性の向上、意匠性の向上を図っているが、本発  明とは、技術思想（構成及びその作用効果）が相違するものである。
【先行技術文献】
【特許文献】
【０００６】
【特許文献１】特開２０１２−２０５７５号公報（特許請求の範囲、図１等）
【特許文献２】特開２０１４−５０９７０号公報（特許請求の範囲、段落〔００３１〕、図６等）
【発明の概要】
【発明が解決しようとする課題】
【０００７】
本発明は、上記従来の課題等に鑑み、これを解消しようとするものであり、筆記部へのインク流出量を十分に確保するために、インク誘導芯を太くしても、インク誘導芯を細く見せ、筆記時の視認性を向上させる効果を有する筆記具を提供することを目的とする。
【課題を解決するための手段】
【０００８】
本発明者らは、上記従来の課題等を解決するために鋭意検討した結果、ペン先が筆記部となる多孔体と該多孔体を保持し、筆記部にインクを供給するためのインク誘導部とインク誘導芯を細く見せるための特定の構造を有する保持体を備えることなどにより、上記目的の筆記具が得られることを見出し、本発明を完成するに至ったのである。
【０００９】
すなわち、本発明の筆記具は、ペン先が筆記部となる多孔体と該多孔体を保持し、筆記部にインクを供給するためのインク誘導芯と、インク誘導芯を保持体の内部に備え、かつ、上記保持体が、筆記方向を視認できる視認部となる筆記具であって、前記保持体の外形面にインク誘導芯を細く見せるための溝部を少なくとも１箇所以上形成したことを特徴とする。
前記保持体の溝部の幅を保持体にあるインク誘導芯の外径と同じ若しくは広いことが好ましい。
前記保持体の溝部の深さを厚みの１／４以下に形成することが好ましい。
前記インク誘導芯の断面形状を直方形状又は楕円形状にすることが好ましい。
前記インク誘導芯の形状を筆記方向が視認できる視認部側を側面と同じ若しくは小さくすることが好ましい。
【発明の効果】
【００１０】
本発明によれば、筆記部へのインク流出量を確保するためにインク誘導芯を太くしても溝部でインク誘導芯を細く見せることができ、筆記時の視認性を向上させる効果を有する筆記具が提供される。
【図面の簡単な説明】
【００１１】
【図１】（ａ）及び（ｂ）は、本発明の筆記具のキャップを取り外した状態の一例を示すものであり、（ａ）は前方側から見た斜視図、（ｂ）は（ａ）を１８０°展開した斜視図である。
【図２】（ａ）は、図１の筆記具の平面視中央縦断面図、（ｂ）は（ａ）の正面視中央縦断面図である。
【図３】（ａ）〜（ｆ）は、図１の筆記具において、筆記部となる多孔体を保持する保持体の一例を示す各図面であり、（ａ）は前方側から見た斜視図、（ｂ）は平面図、（ｃ）は後方側から見た斜視図、（ｄ）は正面図、（ｅ）は中央縦断面図、（ｆ）は底面図、（ｇ）は左側面図、（ｈ）は右側面図、（ｉ）は（ｄ）のＥ−Ｅ線断面図、（ｊ）は（ｄ）のＦ−Ｆ線断面図である。
【図４】（ａ）〜（ｇ）は、本発明の筆記具のキャップを取り付けた状態の一例を示すものであり、（ａ）は正面図、（ｂ）は平面図、（ｃ）は背面図、（ｄ）左側面図、（（ｅ）は前方側から見た斜視図、（ｆ）は右側面図、（ｇ）は中央部側から見た斜視図である。
【図５】（ａ）〜（ｈ）は、図４の筆記具からキャップを取り外した状態の一例を示すものであり、（ａ）は正面図、（ｂ）は平面図、（ｃ）は背面図、（ｄ）は底面図、（ｅ）は右側面図、（ｆ）は前方側から見た斜視図、（ｇ）は右側面図、（ｈ）は中央部側から見た斜視図である。
【発明を実施するための形態】
【００１２】
以下に、本発明の実施形態について図面を参照しながら詳しく説明する。
図１〜図５は、本発明の筆記具の実施形態の一例を示す各図面である。
本実施形態の筆記具Ａは、マーキングペンタイプの筆記具であり、図１、図２、図４及び図５に示すように、筆記具本体（軸部）となる軸筒１０、インク吸蔵体２０、インク誘導芯３０、ペン先４０、キャップ６０を備えている。
軸筒１０は、例えば、熱可塑性樹脂、熱硬化性樹脂、ガラス等で形成されるものであり、筆記具用インクを含浸したインク吸蔵体２０を収容する有底筒状の後軸１１と、ペン先４０を固着する先軸１５とを有している。
【００１３】
後軸１１は、例えば、ポリプロピレン等からなる合成樹脂を使用して長い有底楕円筒形（楕円軸）に成形され、筆記具本体として機能する。この後軸１１は、後端側内部にインク吸蔵体２０の後端部を保持する保持片からなる保持部材１２が設けられており、後軸全体及び後述する先軸は不透明又は透明（及び半透明）に成形されるが、外観上や実用上の観点からいずれを採用しても良い。また、後軸１１の開口部１３に先軸１５が嵌合等により固着される構造となっている。
【００１４】
先軸１５は、後方側に後軸１１の開口部１３に嵌合する環状の嵌合部１６と、前方側に肩部１７、ペン先４０の本体部４２を固着する筒状の嵌入部１８とを有すると共に、上記嵌合部１６内にはインク吸蔵体２０の前端部を保持する保持片からなる保持部材１９が設けられている。上記嵌入部１８の内周面上の後端側に嵌合部１８ａが設けられている。この構造の先軸１５は、例えば、ポリプロピレン等からなる合成樹脂などで成形されるものである。
【００１５】
インク吸蔵体２０は、水性インク、油性インク、熱変色性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸筒１０の後軸１１内に収容されている。
【００１６】
また、インク吸蔵体２０に含浸されるインク組成は、特に限定されず、例えば、水性インクでは、ペン先の乾燥を抑えながらも、描線の乾燥性、インクの低温安定性に優れ、描線に滲みや裏抜けのない筆記具用水性インク組成物として、少なくとも、着色剤と、トリメチルグリシン０．５〜５０質量％と、ペンタエリスリトール０．５〜８質量％と、１０質量％％以下の水溶性有機溶剤と、水とを含有するインク組成が挙げられる。
更に、消し具等を用いて摩擦熱等により筆記描線を消色できる熱変色性のインク組成物では、擦る回数を減らし、かつ手に過度の負担をかけること無く確実に消色できるものとして、ロイコ色素、顕色剤及び変色温度調整剤を少なくとも含む熱変色性マイクロカプセル顔料と、平均粒子径が５０〜１０００ｎｍの範囲の二酸化チタン、シリカ粒子、シリコーン樹脂粒子から選ばれる少なくとも１種の粒子とを含有し、上記熱変色性マイクロカプセル顔料がインク組成物全量に対して５〜３０質量％であると共に、上記粒子の含有量が熱変色性マイクロカプセル顔料１に対して、質量比で０．１〜２であり、かつ、上記熱変色性マイクロカプセル顔料と上記粒子の合計含有量がインク組成物全量に対して６０質量％以下であるインク組成などが挙げられる。なお、平均粒子径は、粒度分析計〔ナイクロトラックＨＲＡ９３２０−Ｘ１００（日機装社製）〕にて求めることができる。
【００１７】
インク誘導芯３０は、インク吸蔵体２０のインクを後述するペン先４０の保持体５５に固着される筆記部となる多孔体４５にインクを直接供給する中継芯となるものであり、インク吸蔵体２０の前方側の挿入部２１に嵌入する構造となる。このインク誘導芯３０は、インク吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものである。インク吸蔵体２０に含浸されたインクがインク誘導芯３０を介して後述する保持体５５に固着される筆記部となる多孔体４５に供給できるものであれば、特に、その形状、構造等は限定されるものでない。このインク誘導芯３０の断面形状としては、例えば、円形、楕円形、正方形、長方形、台形、平行四辺形、ひし形、これ以外の方形形状、カマボコ形、半月形の形状などが挙げられ、好ましくは、インク誘導芯３０の形状を筆記方向が視認できる視認部側を側面と同じ若しくは小さくすることが好ましく、更に好ましくは、後述するインク誘導芯３０を細く見せるための溝部との相乗作用等から、直方形状又は楕円形状とし、溝部のある側を短軸側とすることでインク誘導部５０の視認性を妨げることなく、インク流量を確保することができる。
【００１８】
ペン先４０は、図１〜図３に示すように、筆記部（ペン芯）となる多孔体４５を備えると共に、該多孔体４５を保持し、筆記部にインクを供給するための上記インク誘導芯３０を配設した筒状のインク誘導部５０を有する保持体５５とを備え、該保持体５５には後方側にインク誘導芯３０が挿入される筒状部４１を有する本体部４２が連設されている。
この本体部４２の外周面には、フランジ部４３が設けられ、筒状部４１とインク誘導部５０との連設箇所には、インク誘導芯３０を嵌入保持する３つの嵌入保持部４１ａが所定間隔毎に設けられている。この３つの嵌入保持部４１ａにより、落下等によるインク誘導芯３０のズレや脱落を更に防止する抜け止め構造となるものである。
また、ペン先４０の本体部４２の外周面上には、先軸１５の嵌入部１８に設けた嵌合部１８ａに嵌合するための嵌合突部４２ａが設けられている。
【００１９】
筆記部となる多孔体４５は、保持体５５の先端部に固着されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などからなるものである。
【００２０】
この筆記部となる多孔体４５の形状としては、例えば、外観形状がチゼル形状、砲弾形状、円柱、楕円柱、立方体、直方体などの形状が挙げられ、また、その断面形状が台形、平行四辺形、ひし形、カマボコ形、半月形等となる形状が挙げられ、本実施形態では、チゼル形状となっている。チゼル形状とは、先端がペン軸の中心線に対して傾斜面を形成しており、傾斜面が平坦である形状である。
また、筆記部となる多孔体４５は、筆記しやすい傾きとなるように、好ましくは、本体軸の長軸方向に対して、４０〜９０°の角度で傾いていることが望ましく、本実施形態では、７５°の傾きとなっている。
これらの筆記部となる多孔体４５の形状、傾き等は、筆記等の使い勝手に合わせて適宜設定される。また、筆記部となる多孔体４５は、描線幅が太いものであり、好ましくは、描線幅２ｍｍ以上、更に好ましくは、描線幅３ｍｍ以上の描線幅となる筆記部である。
【００２１】
上記保持体５５内部には、筆記部にインクを供給するためのインク誘導部５０を少なくとも１つ有するものであり、本実施形態では、視認部の面積比率を最大限に発揮せしめる点、筆記部となる多孔体に効率的にインクを供給する点から、長手方向の略中央部にインク誘導部５０が貫通する形で１本配置されている。
このインク誘導部５０の形状、大きさ、本数等は、筆記具本体に含まれるインク吸蔵体２０に含浸されたインクが上記筒状部４１及びインク誘導部５０内に配設したインク誘導芯３０を介して筆記部となる多孔体４５へ毛管作用により効率よくインク供給できる構造等となるものであれば、その形状、構造、大きさ、本数などは適宜選択することができる。
【００２２】
特に、インク誘導芯３０に十分な筆記流量とインク誘導部５０を介しての視認性を確保する点から、インク誘導部５０の軸線方向の長さが３ｍｍ以上とすることが望ましい。また、保持体５５内部にインク誘導部５０の断面積の合計が３ｍｍ２以上であることが望ましい。本発明では、インク誘導芯３０を太く（幅方向長さ、断面積等を大きく）しても、後述するように、溝部でインク誘導芯を細く見せることができ、筆記時の視認性を向上させる効果を有するものとなる。
このインク誘導部５０の形状は、長軸方向である筆記部４５側に向かって直線が望ましいが、テーパーが形成されていてもよく、また、本体軸の長軸方向に対して０〜３０°の向きで、２本以上の複数本でもよいが、１本のみ設けられていることが望ましい。
【００２３】
本実施形態では、インク誘導芯３０とインク誘導部５０間には、隙間５１があり隙間５１を形成した状態で筆記部となる多孔体４５に接続した形態となるものである。これにより、隙間５１からインクで満たされている構成とし、インク誘導芯３０によるインク供給と、隙間５１の毛管作用（直液作用）によるインクによるインク供給とを組み合わせることで、インク残量の視認ができ、また、インク切れを起こしても暫くは筆記を継続することができるので、外観をきれいに見せることができ、品質の安定化を確保でき、しかも、空気の逃げ道の確保ができる構成となっている。
なお、上記インク誘導芯３０とインク誘導部５０間に隙間を形成することなく、インク誘導部５０内にインク誘導芯３０が密着状態（密封）であってもよく、この場合でも、外観をきれいに見せることができ、インク吸蔵体２０のインクをペン先４０の保持体５５に固着される筆記部となる多孔体４５に効率よく、好適なインク量を効率よく供給できるものである。
【００２４】
上記保持体５５のインク誘導芯３０が配設されたインク誘導部５０以外の全体が視認部を形成する構造となるものであり、その外形面は筆記方向を有効に視認するために、４面（正面、背面、各側面）は後述する溝部を除き略平行面となっている。
本発明では、保持体５５のインク誘導部５０の側面を除く正面、背面となる外形部５６、５６には、インク誘導芯３０を細く見せるための溝部５７、５７が、インク誘導芯３０に沿って形成されている。この溝部５７は、外形面に対して、インク誘導部側の内面方向に変曲点を形成して、インク誘導芯３０を細く見せるための形状であれば特に限定されず、例えばＶ字形状（Ｖ溝）、連続して複数のＲ面を連結したＲ溝（丸溝）などが挙げられるが、好ましくは、本実施形態に示したようなＶ字形状（Ｖ溝）となっている。
【００２５】
前記保持体５５の溝部５７の幅Ｔ１は、インク誘導芯３０を細く見せる点から、保持体５５のインク誘導部５０に配設されるインク誘導芯３０の外径Ｔ２と同じ若しくは広いこと（Ｔ１≧Ｔ２）が好ましく、更に好ましくは、１．２×Ｔ２≧Ｔ１≧Ｔ２が望ましい。
また、保持体５５に形成される溝部５７の深さＤ１は、インク誘導芯３０を細く見せると共に、強度、耐久性の兼ね合いの点等から、保持体５５の厚みＤ２の１／４以下に形成することが好ましい。
【００２６】
上記構造となるインク誘導部５０、溝部５７の形成方法としては、例えば、インク誘導部形成用の棒状体、並びに、溝部を備えた金型に樹脂を流し込んで射出成形、ブロー成形等の各樹脂成形法で成形後、型抜きをして保持体５５にインク誘導部５０、溝部５７を形成する方法、保持体５５成形後に、ドリル、レーザー加工などによりインク誘導部５０、溝部５７を形成する方法、保持体５５を二部材とし、それぞれにインク誘導部形成用の溝を形成した後、これらを接着、溶着などにより一体化して保持体５５にインク誘導部５０を形成し、その後ドリル、レーザー加工などにより溝部５７を形成する方法などが挙げられる。
【００２７】
また、上記保持体５５の上部側の両側面に、筆記部となる多孔体４５を保持するリブ体５８、５８が設けられると共に、該リブ体間には多孔体４５の底面と当接する底面部５９が設けられている。この底面部の中央部にはインク誘導部５０の出口が形成されている。更に、上記リブ体の一方の端面に多孔体４５の前端面が当接する当接部５９ａが設けられており、他方の端面は多孔体４５を挿入する入り口となっている。
【００２８】
この本体部４２を含む保持体５５は、視認性を有する材料、例えば、ポリプロピレン、ポリエチレン、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から構成されるものであり、可視光線透過率が５０％以上となる材料から構成されることが好ましい。
この可視光線透過率が５０％未満の材料を使用した場合は、筆記方向に書いてある文字を有効に視認できないことがあり、好ましくない。更なる良好な視認機能を発揮できるようにするために、５０％以上透過する材料が好ましく、この可視光線透過率が８０％以上であれば、更に良好に視認できるものとなる。なお、可視光線透過率は、多光源測色計を用いて反射率を測定することで求めることができる。
【００２９】
この保持体５５は、上記各材料の一種類、または、耐久性、視認性の更なる向上の点などから、２種類以上の材料を用いて構成することができ、２種類以上の材料で構成する場合は、少なくとも一つが可視光線透過率５０％以上となる材料から構成されているものが好ましく、射出成形、ブロー成形などの各種成形法により成形することができる。
【００３０】
図４は、本発明となる筆記具においてキャップ６０を取り付けた状態の一例を示す各図面であり、図５はキャップ６０を取り外した状態の一例を示す各図面である。
キャップ６０は、先軸１５に嵌合等により着脱自在に取り付けられるものであり、筆記部となる多孔体４５を保護する内キャップ部６１と、筒状型の外キャップ部６２とから構成され、外キャップ部６２の該表面部にデザイン性を向上させた凹面部６３が形成された構造となっている。また、外キャップ部６２の前方側となる開口面は筆記具を机等の平坦面に倒立できる構造となるように広い開口面となっており、本実施形態では幅方向長さ１．５ｃｍ、長手方向長さ２．８ｃｍ、肉厚１ｍｍの楕円状の開口面となっている。
この形態の筆記具Ａでは、筆記具の軸筒１０を構成する後軸１１内にインクを吸蔵したインク吸蔵体２０、インク誘導芯３０を保持し、筆記部となる多孔体４５を取り付けたペン先４０、先軸１５を順次嵌合等により取り付けることにより、簡単に筆記具Ａを作製することができるものである。
【００３１】
このように構成される本実施形態の筆記具Ａでは、インク誘導部５０は保持体５５の略中央部に配置すると共に、インク誘導部５０内にインクを含浸させたインク誘導芯３０を配設したので、インク吸蔵体２０に含浸されたインクが上記インク誘導芯３０を介して筆記部となる多孔体４５へ毛管作用により効率よくインク供給できるものとなり、また、インク誘導部５０にインク誘導芯３０を配設することで、組立性が容易となり、また、筆記具の落下衝撃等による特に強い衝撃があっても、上述の三点の抜け止め構造となる嵌入保持部４１ａにより、インク誘導芯３０のズレ、脱落等を防止でき、インクカスレを防ぐことができるものとなる。
本発明によれば、筆記部へのインク流出量を確保するためにインク誘導芯３０を太くしても、保持体５５の外形部５６、５６に形成した溝部５７、５７でインク誘導芯３０を細く見せることができ、筆記時の視認性を向上させる効果を有する筆記具が提供されるものとなる。
【００３２】
特に、インク誘導部５０を保持体５５内の長手方向略中央部に形成することにより、筆記部となる多孔体４５に、かたよりなく効率的にインクを供給できるので、更に、終筆まで使用可能な筆記具が提供されるものとなる。また、インク誘導部５０を保持体５５の長手方向略中央部に形成することにより、筆記方向を定め易く、非常に筆記しやすい形状となるものである。更に、保持体５５の上部にリブ体５８、５８を設けることにより、定規で筆記した際に、定規を汚さずに真直ぐな線などを引くこともできる。
【００３３】
本発明の筆記具は、上記実施形態に限定されるものでなく、本発明の要旨を変更しない範囲で種々の形態に変更することができる。
上記実施形態の筆記具Ａでは、筆記具本体の軸筒などを楕円軸に形成したが、三角形状、四角形以上の方形状などの異形形状、正円形状にしてもよいものである。
また、上記実施形態ではインク誘導芯３０により、インク吸蔵体２０から筆記部となる多孔体４５まで一部品でインクを供給するものとしたが、二部品、例えば、インク吸蔵体２０から筒状部４１までを中継多孔体とし、インク誘導部５０内を前記インク誘導芯と同様のインク供給芯との二部品で、インク吸蔵体２０から筆記部となる多孔体４５へインクを供給してもよいものである。
【００３４】
上記実施形態では、インク誘導芯を細く見せるための溝部５７を筆記方向となる二面（正面、背面）に形成したが、一面（正面又は背面）の１箇所でもよく、更に、視認性を損なわない範囲で、保持体５５内にインク誘導部５０を二つ、それに沿い溝部を一面に二つ（二面では四つ）形成してもよいものである。
更に、筆記方向とは関係無い外形部５６の側面部にも溝部を形成し、インク誘導芯３０を細く見せるようにしてもよい。
してもよいものである。
また、上記各実施形態では、筆記具用のインク（水性インク、油性インク、熱変色性インク）で説明したが、液状化粧料、液状薬剤、塗布液、修正液などの液状体とし、ペン先を該液状体に併せて、例えば、多孔体を好適な塗布部材用の多孔体を用いてもよいものである。
【実施例】
【００３５】
次に、実施例により、本発明を更に詳述するが、本発明は下記実施例に限定されるものではない。
【００３６】
〔実施例１〕
（筆記具の構成：図１〜図５準拠）
（ペン先の構成）
筆記部（多孔体４５）：ＰＥ製焼結芯、気孔率６０％、上辺長さ５ｍｍ、下辺長さ６ｍｍ、高さ３ｍｍ、前端面の両側を面取り加工
保持体５５（本体部含む）：ＡＢＳ樹脂製、厚さ：Ｄ２＝４ｍｍ
インク誘導部５０：円筒形状、内径：φ１．７ｍｍ
溝部：Ｖ字状形状、幅：Ｔ１＝１．８ｍｍ、深さＤ１＝１ｍｍ、長さ：８ｍｍ
（ペン先以外の筆記具部材の構成）
インク誘導芯３０：ＰＥＴ繊維束、気孔率６５％、φ１．５（Ｔ２）ｍｍ×３５ｍｍ
インク吸蔵体２０：ＰＥＴ繊維束、気孔率８５％、φ１５×５５ｍｍ
多孔体４５と保持体５５の接着は、保持体５５に多孔体４５を面取り部側から装着した状態で、有機溶剤（酢酸エチル）をしみ込ませ、乾燥させることで接着した。
【００３７】
（インク組成）
インクとして、下記組成の水性インク組成物（合計１００質量％）を使用した。
保湿剤：トリメチルグリシン（グリシンベタイン）                    ７．５質量％
ペンタエリスリトール                                      ４．５質量％
着色剤：NKW-4805黄（日本蛍光社製）                              ４０．０質量％
防腐剤：バイオエース（ケイアイ化成社製）                          ０．３質量％
ｐＨ調整剤：トリエタノールアミン                                  １．０質量％
フッ素系界面活性剤：サーフロン8111N（ＡＧＣセイミケミカル社製）   ０．２質量％
水溶性有機溶剤：エチレングリコール                                ３．０質量％
水（溶媒）：イオン交換水                                        ４３．５質量％
【００３８】
上記筆記具の各部材を用いて、図１〜図５に準拠する実施例１の筆記具を作製した。
この実施例１の筆記具によれば、インク誘導部５０は保持体５５の略中央部に配置すると共に、インク誘導部５０内にインクを含浸されたインク誘導芯３０が配設されているので、インク吸蔵体２０に含浸されたインクが上記インク誘導芯３０を介して筆記部となる多孔体４５へ毛管作用により効率よくインク供給できるものとなっており、また、文字の上に筆記したところ、筆記時に視認部を介して向こう側の見え方を目視にて確認したところ、溝部５７、５７でインク誘導芯３０を細く見ることができ、文字視認性が十分であり、見やすく、筆記方向に書いてある文字を読みながら筆記することができた。
また、インク組成として、各含有量の着色剤（蛍光色材）と、トリメチルグリシンと、ペンタエリスリトールと、水溶性有機溶剤と、水とを含有した水性インク組成物を用いたので、ペン先の乾燥を抑えながらも、描線の乾燥性、インクの低温安定性に優れ、描線に滲みや裏抜けのないものであった。
【００３９】
更に、自動筆記装置にこの筆記具をセットして、ＪＩＳ  Ｓ６０３７に従い、上質紙面上で筆記角度６５°、筆記荷重１Ｎ、速度７ｃｍ／ｓ、距離１００ｍで直線筆記後、筆記した描線状態を目視にて確認したところ、筆記部となる多孔体の折れや破損はなく、筆記性は良好で描線かすれはなく、インク流量（２ｇ／１００ｍ）も良好であることがわかった。
また、実施例１の筆記具を高さ１．５ｍから筆記具を平行にして床に自然落下させる落下衝撃試験を行ったところ、インクカスレもなく、良好に筆記できることを確認した。
【００４０】
〔実施例２〕
インクとして、下記組成の熱変色性インクを使用した以外は、上記実施例１と同様にして筆記具を作製した。
（インク組成：熱変色性インク）
〈熱変色性マイクロカプセル顔料の調製〉
ロイコ色素として、ＣＶＬ（山田化学工業社製）１質量部（以下、単に「部」という）、顕色剤として、ビスフェノールＡ２部、及び変色性温度調整剤として、ミリスチン酸ミリスチル２４部を１００℃に加熱溶融して、均質な組成物２７部を得た。
上記で得た組成物２７部の均一な熱溶液にカプセル膜剤として、イソシアネート１０部及びポリオール１０部を加えて攪拌混合した。次いで、保護コロイドとして１２％ポリビニルアルコール水溶液６０部を用いて、２５℃で乳化して分散液を調製した。次いで、５％の多価アミン５部を用いて、８０℃で６０分間処理してマイクロカプセルを得た。
以上の手順により得たマイクロカプセル化した水分散体をスプレードライすることでパウダー状にして青色の熱変色性マイクロカプセル顔料を製造した。
この熱変色性マイクロカプセル顔料は、平均粒子径１．６μｍ、色相（発色状態、２５℃）は青色、５０℃以上で消色するものであった。
【００４１】
インクとして、下記組成の熱変色性インク（合計１００質量％）を使用した。
上記で調製した調整熱変色性マイクロカプセル顔料                      １８質量％
酸化チタン：ＴＴＯ−５５（Ａ）〔平均粒子径１５３．６ｎｍ、石原産業社製、３５質量％分散液〕                                                      ３４．３質量％
増粘剤：キサンタンガム（ＫＥＬＳＡＮ  Ｓ、三省社製）            ０．１８質量％
防腐剤：バイオデン４２１（日本曹達社製）                          ０．２質量％
ｐＨ調整剤：アミノメチルプロパノール                              ０．１質量％
水溶性有機溶剤：プロピレングリコール                                １５質量％
水：イオン交換水                                              ３２．２２質量％
【００４２】
この実施例２の筆記具では、実施例１と同様にして作製後、筆記したところ、インク組成が相違したものを用いても、実施例１と同様に、インク吸蔵体２０に含浸された熱変色性インクが上記インク誘導芯３０を介して筆記部となる多孔体４５へ毛管作用により効率よくインク供給できるものとなっており、また、文字の上に筆記したところ、筆記時に視認部を介して向こう側の見え方を目視にて確認したところ、溝部５７、５７でインク誘導芯３０を細く見ることができ、文字視認性が十分であり、見やすく、筆記方向に書いてある文字を読みながら筆記することができた。
また、インク組成として、各含有量となる、ロイコ色素、顕色剤及び変色温度調整剤を少なくとも含む熱変色性マイクロカプセル顔料と、平均粒子径が５０〜１０００ｎｍの範囲の二酸化チタンなどの粒子とを含有し熱変色性インクを用いたので、消し具の擦る回数が少ない上、手に過度の負担をかけること無く確実に消色できることが確認された。
また、実施例１と同様の条件で、自動筆記装置により、距離１００ｍで直線筆記後、筆記した描線状態を目視にて確認したところ、筆記部となる多孔体の折れや破損はなく、筆記性は良好で描線かすれはなく、インク流量（１．８ｇ／１００ｍ）も良好であることがわかった。更に、実施例１と同様に落下衝撃試験を行ったところ、インクカスレもなく、良好に筆記できることを確認した。
【００４３】
〔実施例３〕
上記実施例１の筆記具を下記構成のものに変更し、インク組成は実施例１と同じものを使用した。
（筆記具の構成：図１〜図５準拠）
（ペン先の構成）
筆記部（多孔体４５）：ＰＥ製焼結芯、気孔率５０％、上辺長さ５ｍｍ、下辺長さ６ｍｍ、高さ３ｍｍ、前端面の両側を面取り加工
保持体５５（本体部含む）：ＡＢＳ樹脂製、厚さ：Ｄ２＝５ｍｍ
インク誘導部５０：円筒形状、直径：φ２ｍｍ
溝部：Ｖ字状形状、幅：Ｔ１＝２ｍｍ、深さＤ１＝１ｍｍ、長さ：８ｍｍ
（ペン先以外の筆記具部材の構成）
インク誘導芯３０：ＰＥＴ繊維束、気孔率７０％、φ２（Ｔ２）×３５ｍｍ
インク吸蔵体２０：ＰＥＴ繊維束、気孔率９０％、φ１５×５５ｍｍ
多孔体は、保持体に多孔体を面取り部側から装着した状態で、有機溶剤（酢酸エチル）をしみ込ませ、乾燥させることで接着した。
【００４４】
上記筆記具の各部材を用いて、図１〜図５に準拠する実施例３の筆記具を作製した。
この実施例３の筆記具によれば、実施例１と同様に、インク吸蔵体２０に含浸された水性組成物インクが上記インク誘導芯３０を介して筆記部となる多孔体４５へ毛管作用により効率よくインク供給できるものとなっており、また、文字の上に筆記したところ、筆記時に視認部を介して向こう側の見え方を目視にて確認したところ、インク誘導芯を実施例１よりも太くしても、溝部５７、５７でインク誘導芯３０を細く見ることができ、文字視認性が十分であり、見やすく、筆記方向に書いてある文字を読みながら筆記することができた。また、実施例１と同様のインク組成であったので、ペン先の乾燥を抑えながらも、描線の乾燥性、インクの低温安定性に優れ、描線に滲みや裏抜けのないものであった。
また、実施例１と同様の条件で、自動筆記装置により、距離１００ｍで直線筆記後、筆記した描線状態を目視にて確認したところ、筆記部となる多孔体の折れや破損はなく、筆記性は良好で描線かすれはなく、インク流量（２．１ｇ／１００ｍ）も良好であることがわかった。更に、実施例１と同様に落下衝撃試験を行ったところ、インクカスレもなく、良好に筆記できることを確認した。
【産業上の利用可能性】
【００４５】
本発明の筆記具では、アンダーラインペン、ペイントマーカー、油性マーカー、水性マーカーと呼ばれるタイプの筆記具に好適に使用することができる。
【符号の説明】
【００４６】
Ａ  筆記具
１０  筆記具本体
１１  後軸
１５  先軸
２０  インク吸蔵体
３０  インク誘導芯
４０  ペン先
４５  筆記部（多孔体）
５０  インク誘導部
５５  保持体
５７  溝部
【図１】
2018118420.tif 000003
【図２】
2018118420.tif 000004
【図３】
2018118420.tif 000005
【図４】
2018118420.tif 000006
【図５】
2018118420.tif 000007